(57)【要約】      （修正有）【課題】繰り返し継続的に、室内・屋外などの場所を問わずに左打ち・右打ちを問わず打撃練習ができる組立式打撃練習器具を提供する。【解決手段】水平方向の土台（１）と垂直方向の土台（２）を組み合わせたものに、上下可動式支柱（３）を挿入、蝶ボルトｆ（１１）と蝶ボルトｇ（１２）を用いて固定し自立させ、凹設させた上下可動式支柱（３）の上部に腕部（４）を載嵌させ蝶ボルトｃ（８）を用いて固定した先端に２枚のフランジ（５）を蝶ボルトａ（６）で挿管するためのパイプを装着させ、下端部には、打撃の目印となり、且つ昼間でも夜間でも使用できるよう畜光テープ（１４）を巻付けた打撃用ロープ（１３）をワッシャー（１５）で押さえ、蝶ボルトａ（６）で固定することで円滑に回転し、回転運動が終わると自然に打撃用ロープ（１３）が地面に対し垂直に元の状態に戻る。【選択図】図２
0003207337.tif 000002
【実用新案登録請求の範囲】
【請求項１】
本考案は、図２の▲１▼水平方向の土台と▲２▼垂直方向の土台を組み合わせたものに、▲３▼上下可動式支柱を挿入、▲１１▼蝶ボルトｆ▲１２▼蝶ボルトｇを用いて固定し、自立させ▲４▼腕部の先端に２枚の▲５▼フランジを▲６▼蝶ボルトａで挿管するための▲１６▼パイプを装着させ、下端部には、打撃の目印となり、且つ昼間でも夜間でも使用できるよう▲１４▼畜光テープを巻付けた▲１３▼打撃用ロープを▲１５▼ワッシャーで押さえ、▲６▼蝶ボルトａで固定することで円滑に回転し、回転運動が終わると自然に▲１３▼打撃用ロープが地面に対し垂直に元の状態に戻るという以上の構成により、繰り返し継続的に、室内・屋外などの場所を問わずに打撃練習ができる組立式打撃練習器具である。
【考案の詳細な説明】
【技術分野】
【０００１】  この発明は、単独かつ昼間、夜間など時間帯を問わず、また屋内・屋外を問わず使用できる打撃練習に用いる器具に関するものである。
【背景技術】
【０００２】  先行技術として、従来のバッティング練習機の発明の一つである単独トスバッティング練習器具（特開２０１５−７１０１８）やボール打撃練習装置（特開２１０−１５５１６７）、には、支持台の上端部に設けた腕部に紐状のゴムまたはスチールパイプを吊り下げ、その先にボールまたは、ボールに見立てた砂袋を打つという形状であった。【０００３】    先行技術として、従来のバッティング練習具（特開２０１３−７５００７）や、ティーバッティング練習具（特開２０１２−２４９７３３）では、自立したボール支持柱にボールを乗せて使用するという形状であった。【０００４】    先行技術として、従来のバッティング練習器具（実開平８−１０６０）では、ボールの中心にボルトが入る丸い通し穴の開いたボールを使用し、伸縮スタンドに連結ボルトで接続されているという形状であった。【０００５】
【文献】
特開２０１５−７１０１８
特開２１０−１５５１６７
特開２０１３−７５００７
特開２０１２−２４９７３３
実開平８−１０６０
【考案の開示】
【考案が解決しようとする課題】
【０００６】  従来のバッティング練習器具では、自立したボール支持柱にボールを乗せて使用するタイプか、ボールに見立てた的を打つ形状だったが、その場合打撃時のボールの軌道により、吊るした紐が腕部に絡まってしまうことや、吊るしている紐を打つことで、的となる砂袋が外れたり、破損したりするなど繰り返し継続的に打撃練習をする点で課題があった。
そのためには、ボールまたは、ボールに見立てた的が外れてしまう点や、破損するという欠点を解決し、更に的となる目印が繰り返し元の状態に戻るという状態が望ましい。
【課題を解決するための手段】
【０００７】  本考案は、図２の▲１▼水平方向の土台と▲２▼垂直方向の土台を組み合わせたものに、▲３▼上下可動式支柱を挿入、▲１１▼蝶ボルトｆ▲１２▼蝶ボルトｇを用いて固定し、自立させ▲４▼腕部の先端に２枚の▲５▼フランジを▲６▼蝶ボルトａで挿管するための▲１６▼パイプを装着させ、下端部には、打撃の目印となり、且つ昼間でも夜間でも使用できるよう▲１４▼畜光テープを巻付けた▲１３▼打撃用ロープを▲１５▼ワッシャーで押さえ、▲６▼蝶ボルトａで固定することで円滑に回転し、回転運動が終わると自然に▲１３▼打撃用ロープが地面に対し垂直に元の状態に戻るという、以上の構成よりなる打撃練習器具である。
【考案の効果】
【０００８】  本考案の打撃練習器具は、▲４▼腕部から的を吊るす素材を紐からロープに変えることにより、打撃後の▲４▼腕部への巻き付きがなくなり、回転が終わると自然に元の位置に戻るので、繰り返し練習することが可能になる。
また、▲１３▼打撃用ロープの先のボールに見立てた的を、砂袋などの物体から▲１４▼畜光テープに変えることで、外れたり、破損するという問題点が解消できる。
更に、▲１４▼畜光テープを用いることで昼夜を問わず練習具を使用することが可能となる。
▲１３▼打撃用ロープの長さを調節することで、希望する高さやコースを一定に調整することができる。
バットを振るスペースは必要であるが、加えてボールに見立てた物体を振り飛ばすことによるスペースの確保や飛来物を防護するためのネットなど防護するものが不要となり、室内屋外を問わず省スペースでの練習が可能となるという利点を備える。
組み立て式の器具のため、場所を移動させて使用できるという効果や、使用しない時の収納や保管が容易となる。
【考案を実施するための最良の形態】
【０００９】  図１の▲１▼▲２▼の各土台は、打撃時の転倒が無い様な長さや重さが必要である。▲３▼上下可動式支柱は、使用者の身長に合わせた打撃スイングのベストポジションを調節し、▲９▼蝶ボルトｄ▲１０▼蝶ボルトｅで固定するために必要な機能となる。また、打撃の強さに耐える強度が必要となる。▲４▼腕部はバットを振り込む時に誤って支柱を打つことがない程度の長さが必要である。▲１３▼打撃用ロープは、パイプを巻きつける幅と、▲１４▼畜光テープが目印となる程度の太さが必要である。
【実施例】
【００１０】  図３は、本考案を上から見て、▲１７▼（打撃時）打者立ち位置を示している図であるが、▲５▼フランジを固定する▲６▼蝶ボルトａを締めるための▲７▼蝶ボルトｂを垂直方向に締めることで、回転の向きにより▲５▼フランジを固定している▲５▼蝶ボルトａが緩むのを止める効果がある。それにより、左右どちらの打撃練習にも対応できる構成となる。【００１１】  図に示す全てのパーツが組立・取外し可能となっているため、保管・移動しての使用が容易となる形状である。
【図面の簡単な説明】
【００１２】
【図１】  本考案の正面図
【図２】  本考案の側面図
【図３】  本考案の上面図
【図４】  打撃用ロープ正面図
【図５】  打撃用ロープ吊下時の側面図
【符号の説明】
【００１３】▲１▼  土台（水平方向）
▲２▼  土台（垂直方向）
▲３▼  上下可動式支柱
▲４▼  腕部
▲５▼  フランジ
▲６▼  蝶ボルトａ
▲７▼  蝶ボルトｂ
▲８▼  蝶ボルトｃ
▲９▼  蝶ボルトｄ
▲１０▼  蝶ボルトｅ
▲１１▼  蝶ボルトｆ
▲１２▼  蝶ボルトｇ
▲１３▼  打撃用ロープ
▲１４▼  畜光テープ
▲１５▼  ワッシャー
▲１６▼  パイプ
▲１７▼  （打撃時）打者立ち位置
【図１】
0003207337.tif 000003
【図２】
0003207337.tif 000004
【図３】
0003207337.tif 000005
【図４】
0003207337.tif 000006
【手続補正書】
【提出日】平成28年8月1日(2016.8.1)
【手続補正１】
【補正対象書類名】実用新案登録請求の範囲
【補正対象項目名】全文
【補正方法】変更
【補正の内容】
【実用新案登録請求の範囲】
【請求項１】
水平方向の土台（１）と垂直方向の土台（２）を組み合わせたものに、上下可動式支柱（３）を挿入、蝶ボルトｆ（１１）蝶ボルトｇ（１２）を用いて固定し自立させ、凹設させた上下可動式支柱（３）の上部に腕部（４）を載嵌させ蝶ボルト（８）を用いて固定した先端に２枚のフランジ（５）を蝶ボルトａ（６）で挿管するためのパイプ（１６）を装着させ、下端部には、打撃の目印となり、且つ昼間でも夜間でも使用できるよう畜光テープ（１４）を巻付けた打撃用ロープ（１３）をワッシャー（１５）で押さえ、蝶ボルトａ（６）で固定することで円滑に回転し、回転運動が終わると自然に打撃用ロープ（１３）が地面に対し垂直に元の状態に戻るという以上の構成により、繰り返し継続的に、室内・屋外などの場所を問わずに左打ち・右打ちを問わず打撃練習ができる組立式打撃練習器具である。
【手続補正２】
【補正対象書類名】明細書
【補正対象項目名】００１２
【補正方法】変更
【補正の内容】
【００１２】
【図１】  打撃練習器具  組立時の正面図
【図２】  打撃練習器具  組立時の側面図
【図３】  打撃練習器具  組立時に使用者の立ち位置を想定した場合の上面図
【図４】  打撃用ロープ（１３）と付属する部品の正面図
【手続補正３】
【補正対象書類名】図面
【補正対象項目名】全図
【補正方法】変更
【補正の内容】
【図１】
0003207337.tif 000007
【図２】
0003207337.tif 000008
【図３】
0003207337.tif 000009
【図４】
0003207337.tif 000010